(57)【要約】【課題】けらば化粧材上を流下する雨水を軒樋に流下させることができるけらば化粧材の軒先構造を提供する。【解決手段】本発明のけらば化粧材の軒先構造は、けらば化粧材２と、軒樋６とを備えている。けらば化粧材２は、けらばを側方から覆う外側面部２３と、けらばを上方から覆う天面部２１とを有しており、軒側の先端が屋根１の軒側端部よりも屋外側に突出している。軒樋６の長さ方向の端面は、けらば化粧材２に対向配置されている。けらば化粧材２には、天面部２１上を軒側に向かって流下する雨水を軒樋６に導水する導水部４が設けられている。【選択図】図１
2015017475.tif 000002
【特許請求の範囲】
【請求項１】
けらばを側方から覆う外側面部とけらばを上方から覆う天面部とを有し、軒側の先端が屋根の軒側端部よりも屋外側に突出したけらば化粧材と、
長さ方向の端面が前記けらば化粧材に対向配置された軒樋と
を備え、
前記けらば化粧材には、前記天面部上を軒側に向かって流下する雨水を前記軒樋に導水する導水部が設けられている
ことを特徴とするけらば化粧材の軒先構造。
【請求項２】
前記導水部は、
前記天面部の幅方向の全長に亙って設けられた排水溝と、
前記排水溝に沿って流下する雨水を受けて前記軒樋に導水する水受け部と
を備え、
前記排水溝は、平面視において前記軒樋側に向かうほど屋根勾配方向の下流側に位置するように傾斜している
ことを特徴とする請求項１記載のけらば化粧材の軒先構造。
【請求項３】
前記導水部は、
前記天面部に設けられた貫通孔と、
この貫通孔を通って流下する雨水を前記軒樋に向かって導水する導水路と
を備えている
ことを特徴とする請求項１記載のけらば化粧材の軒先構造。
【請求項４】
前記天面部の妻側の端縁には、雨水が前記外側面部側に流れるのを防止する立上片が設けられている
ことを特徴とする請求項１乃至請求項３のいずれか一項に記載のけらば化粧材の軒先構造。
【発明の詳細な説明】
【技術分野】
【０００１】
本発明は、けらば化粧材の軒先構造に関する。
【背景技術】
【０００２】
特許文献１には、従来のけらば化粧材の軒先構造が開示されている。このけらば化粧材の軒先構造は、屋根の妻側端部を覆うけらば包みと、けらば包みの軒側の端部に取り付けられた軒樋止まりと、軒樋とを備えている。軒樋止まりは、屋根材の軒側の端部よりも屋外側に突出している。軒樋は、軒樋止まりに隣接配置されている。軒樋の長手方向の端部は、軒樋止まりの側方に固定される。
【０００３】
軒樋止まりは、上り傾斜部を有している。上り傾斜部は、屋根勾配と同じように傾斜しており、けらば包みの上面と連続している。
【先行技術文献】
【特許文献】
【０００４】
【特許文献１】特開平１１−１００９５４号公報
【発明の概要】
【発明が解決しようとする課題】
【０００５】
ところで特許文献１記載のけらば化粧材の屋根構造では、降雨すると、その雨水は、けらば包みの上面を伝って流れ、上り傾斜部の上面を流下する。この軒樋止まりは、屋根材よりも屋外側に突出したものであって、軒樋が上り傾斜部の勾配の下流側に配置されたものではないため、上り傾斜部を流下した雨水が、軒樋に流下せずに地面に向かって落下してしまうという問題がある。
【０００６】
本発明は、上記事情に鑑みてなされたものであり、その目的とするところは、けらば化粧材上を流下する雨水を軒樋に流下させることができるけらば化粧材の軒先構造を提供することにある。
【課題を解決するための手段】
【０００７】
本発明のけらば化粧材の軒先構造は、けらばを側方から覆う外側面部とけらばを上方から覆う天面部とを有し、軒側の先端が屋根の軒側端部よりも屋外側に突出したけらば化粧材と、長さ方向の端面が前記けらば化粧材に対向配置された軒樋とを備え、前記けらば化粧材には、前記天面部上を軒側に向かって流下する雨水を前記軒樋に導水する導水部が設けられていることを特徴とする。
【０００８】
また、このけらば化粧材の軒先構造において、前記導水部は、前記天面部の幅方向の全長に亙って設けられた排水溝と、前記排水溝に沿って流下する雨水を受けて前記軒樋に導水する水受け部とを備え、前記排水溝は、平面視において前記軒樋側に向かうほど屋根勾配方向の下流側に位置するように傾斜していることが好ましい。
【０００９】
また、このけらば化粧材の軒先構造において、前記導水部は、前記天面部に設けられた貫通孔と、この貫通孔を通って流下する雨水を前記軒樋に向かって導水する導水路とを備えていることが好ましい。
【００１０】
また、このけらば化粧材の軒先構造において、前記天面部の妻側の端縁には、雨水が前記外側面部側に流れるのを防止する立上片が設けられていることが好ましい。
【発明の効果】
【００１１】
本発明のけらば化粧材の軒先構造によれば、けらば化粧材上を流下する雨水を軒樋に流下させることができる。
【図面の簡単な説明】
【００１２】
【図１】実施形態１のけらば化粧材の軒先構造の斜視図である。
【図２】実施形態１のけらば化粧材の要部斜視図である。
【図３】実施形態１の導水部周辺の拡大斜視図である。
【図４】実施形態２のけらば化粧材の軒先構造の斜視図である。
【発明を実施するための形態】
【００１３】
以下、本発明の実施形態について添付図面に基づいて説明する。
【００１４】
実施形態１のけらば化粧材２の軒先構造は、図１に示すように、屋根１と、けらば化粧材２と、軒樋６とを備えている。
【００１５】
屋根１は、建物の上部に設けられている。屋根１は、例えば、切妻屋根や片流れ屋根によって構成される。屋根１は、勾配を有している（以下、この勾配を屋根勾配という）。屋根勾配に沿った方向（以下、屋根勾配方向という）は、例えば、軒棟方向に平行な方向である。
【００１６】
屋根１は、軒と棟とを有している。ここで言う「軒」とは、屋根１において建物の壁面よりも屋外側に突出する部分を言うが、例えば、建物の壁面よりも屋外側に突出しない屋根１が用いられる場合には、屋根１における屋根勾配方向の下流側の端部を軒という。また、「棟」とは、屋根１において、屋根勾配方向の上流側の端部を言う。
【００１７】
屋根１は、複数の屋根材１１によって構成されている。屋根材１１は、例えば、断面凹凸形状をしたルーフ材や、折板屋根材によって構成される。また、屋根材１１は平瓦であってもよい。屋根材１１は、金属屋根に限らず、例えば、窯業系の屋根材が用いられてもよい。なお、本実施形態の屋根材１１は、屋根勾配方向とは直角な方向に、凹部１２と凸部１３とが繰り返し形成された金属屋根材（以下、この金属屋根材によって構成された屋根を凹凸屋根という）によって構成されている。なお、この凹部１２および凸部１３は、屋根１の屋根勾配方向の全長に亙って設けられている。
【００１８】
けらば化粧材２は、天面部２１と、外側面部２３と、内側面部２５と、前面部２４と、底面部（図示せず）とを備えている。けらば化粧材２は、屋根１のけらばを覆うようにして取り付けられる。けらば化粧材２の軒側の先端は、屋根１の軒側端部よりも屋外側に突出している。
【００１９】
天面部２１は、けらばの上方に配置され、これにより、けらばを上方から覆う。天面部２１は、屋根勾配方向に長さを有し、屋根勾配方向とは直角な方向（左右方向）に幅を有している。天面部２１の幅方向の妻側（けらば側）の端縁には、立上片２２が設けられている。立上片２２は、天面部２１の上面から上方に向かって突出している。立上片２２は、天面部２１における屋根勾配方向の全長に亙って設けられている。立上片２２は、雨水が外側面部２３に流れるのを防止する。
【００２０】
外側面部２３は、天面部２１の幅方向の妻側の端部から下方に向かって延出している。外側面部２３は、けらばの側方に配置され、これにより、けらばを側方から覆う。外側面部２３は、屋根勾配方向に長さを有し、上下方向に幅を有している。
【００２１】
底面部（図示せず）は、外側面部２３の下端から建物側に向かって延出している。底面部は、天面部２１と平行となるように形成されている。
【００２２】
前面部２４は、けらば化粧材２の軒側の端面を構成する。前面部２４は、天面部２１に直交しており、下方に向かうほど建物側に位置するように傾斜している。前面部２４は、外側面部２３の軒側の先端と内側面部２５の軒側の先端との間に架設される。
【００２３】
内側面部２５は、天面部２１の幅方向の屋根１側（建物側）の端部から下方に向かって延出している。内側面部２５は、屋根勾配方向に長さを有し、上下方向に幅を有している。内側面部２５は、屋根１の上方に配置される幅狭部２６と、幅狭部２６よりも幅の大きい先端部２７とを有している。先端部２７は、屋根１の軒側の端部よりも屋外側に配置されている。
【００２４】
先端部２７には、図２に示すように、内側支持部２８が設けられている。内側支持部２８は、先端部２７の棟側の端部と、外側面部２３の内面との間に架設される。内側支持部２８には、水受け部４１が取り付けられる。
【００２５】
水受け部４１は、縦片部４２と、横片部４３とを有しており、断面Ｌ字状に形成されている。水受け部４１は、屋根勾配方向とは直角な方向に長さを有している。図１に示すように、水受け部４１において長さ方向の妻側（けらば側）とは反対側の先端は、軒樋６の上方に位置している。また、横片部４３は、屋根勾配方向に幅を有している。横片部４３の幅方向の中間部分は、図２に示すように、下方に向かって屈曲している。また、横片部４３の幅方向の棟側の端部には、折り返し片４４が設けられている。折り返し片４４は、例えば、横片部４３の端縁を曲げ加工することで形成されている。
【００２６】
このような構成のけらば化粧材２には、図３に示すように、導水部４が設けられている。導水部４は、上述の水受け部４１と、排水溝４５とで構成されている。
【００２７】
排水溝４５は、天面部２１に設けられた横溝部４６と、内側面部２５に設けられた縦溝部４７とにより構成されている。横溝部４６と縦溝部４７とは連続している。
【００２８】
横溝部４６は、天面部２１の上面に凹設されている。横溝部４６は、天面部２１の幅方向の全長に亙って設けられている。横溝部４６は、平面視において軒樋６側に向かうほど、屋根勾配方向の下流側に位置するように傾斜している。横溝部４６は、線状に形成されており、溝幅が約１０ｍｍに形成されている。横溝部４６の屋根１側の端部は開口している。一方、横溝部４６の妻側の端部は立上片２２によって塞がっている。これにより、立上片２２を伝って流下した雨水は、横溝部４６に導入される。
【００２９】
縦溝部４７は、内側面部２５に凹設されている。縦溝部４７は、線状に形成されており、溝幅が約１０ｍｍに形成されている。縦溝部４７の上方側の端部は、上方に開口している。また、縦溝部４７の下方側の端部は下方に開口している。縦溝部４７の下端は、水受け部４１の上方に位置している。これにより、縦溝部４７から流下する雨水は、水受け部４１によって受けられる。
【００３０】
降雨すると、その雨水は、天面部２１の上面に付着する。すると、雨水は、天面部２１の上面の傾斜に沿って流下し、排水溝４５に至る。排水溝４５に至った雨水は、排水溝４５に沿って流下し、水受け部４１に受けられる。水受け部４１に受けられた雨水は、軒樋６の内部に導かれる。
【００３１】
軒樋６は、図１に示すように、左右方向（屋根勾配方向とは直角な方向）に長さを有している。軒樋６の長さ方向の端面は、けらば化粧材２の内側面部２５に対向配置されている。本実施形態のけらば化粧材２の軒先構造は、軒樋６の長さ方向の端面と、内側面部２５との間に一定の隙間が形成されている。この隙間によって、熱による軒樋６の伸縮が生じても、軒樋６とけらば化粧材２との干渉を防ぐことができる。
【００３２】
なお、けらば化粧材２と軒樋６の長さ方向の端面とは対向配置されているが、ここでいう対向配置とは、一定の隙間を介在させた場合に限らず、けらば化粧材２と軒樋６の長さ方向の端面とが接触したものも含む。
【００３３】
以上、説明したように、本実施形態のけらば化粧材２の軒先構造は、けらば化粧材２と、軒樋６とを備えている。けらば化粧材２は、けらばを側方から覆う外側面部２３と、けらばを上方から覆う天面部２１とを有している。また、けらば化粧材２の軒側の先端は、屋根１の軒側端部よりも屋外側に突出している。そして、けらば化粧材２には、天面部２１上を軒側に向かって流下する雨水を軒樋６に導水する導水部４が設けられている。
【００３４】
このため、本実施形態のけらば化粧材２の軒先構造によれば、天面部２１を伝って流れ落ちる雨水が、地面に向かって流下するのを防ぐことができる。
【００３５】
また、本実施形態の導水部４は、排水溝４５と、水受け部４１とを備えている。排水溝４５は、天面部２１の幅方向の全長に亙って設けられている。水受け部４１は、排水溝４５に沿って流下する雨水を受けて軒樋６に導水する。そして、排水溝４５は、平面視において軒樋６側に向かうほど屋根勾配方向の下流側に位置するように傾斜している。
【００３６】
このため、本実施形態のけらば化粧材２の軒先構造によれば、天面部２１を伝って流れ落ちる雨水が、排水溝４５に沿って水受け部４１に導かれ、水受け部４１によって軒樋６の内部に導水される。しかも、本実施形態のけらば化粧材２の軒先構造は、水受け部４１が設けられているため、けらば化粧材２と軒樋６との間に一定の隙間が設けられても、排水溝４５を伝って流れる雨水がこの隙間から落下するのを防ぐことができる。
【００３７】
また、本実施形態の天面部２１の妻側の端縁には、雨水が外側面部２３側に流れるのを防止する立上片２２が設けられている。
【００３８】
このため、本実施形態のけらば化粧材２の軒先構造によれば、風等によって外側面部２３に向かう雨水を立上片２２に沿って流下させて導水部４に導きやすい。これにより、けらば化粧材２の天面部２１に付着した雨水の排水性を向上させることができる。また、本実施形態のけらば化粧材２の軒先構造によれば、外側面部２３に流下する雨水を抑制することができるため、外側面部２３の見栄えが損なわれるのを防ぐことができる。
【００３９】
また、本実施形態の導水部４は、天面部２１の上面から凹没した線状の排水溝４５を有しており、この排水溝４５は幅が狭いため、天面部２１に沿って落ちる落ち葉やゴミが排水溝４５に入り込みにくく、また引っ掛かりにくい。
【００４０】
また、本実施形態の水受け部４１は、凹凸屋根のけらば側の端部の凹部１２の下方に位置しているため、凹部１２を伝って流下した雨水を軒樋６の内部に導水することができる。これにより、軒樋６とけらば化粧材２との間の隙間を通して、雨水が落下するのを防ぐことができる。
【００４１】
次に、実施形態２について図４に基づいて説明する。なお、実施形態２は実施形態１と大部分において同じであるため、同じ部分においては同符号を付して説明を省略し、主に異なる部分について説明する。
【００４２】
本実施形態のけらば化粧材２の軒先構造は、導水部４の構造、及び、けらば化粧材２と軒樋６との接続部分の構造が実施形態１のものとは相違しており、その他の部分については実施形態１と同じである。
【００４３】
本実施形態の導水部４は、天面部２１に設けられた貫通孔４８と、けらば化粧材２の内部に設けられた導水路７とを備えている。
【００４４】
貫通孔４８は、天面部２１を貫通する。貫通孔４８は、上側開口縁４９と、下側開口縁５０とを備えている。下側開口縁５０と上側開口縁４９とは、互いに平行である。上側開口縁４９と下側開口縁５０との間の寸法は（つまり、貫通孔４８の幅方向の寸法は）、約１０ｍｍに形成されている。上側開口縁４９および下側開口縁５０は、平面視において軒樋６側に向かうほど屋根勾配方向の下流側に位置するように傾斜している。また、上側開口縁４９には、導水板５１が設けられている。
【００４５】
導水板５１は、上側開口縁４９から下斜め下方に向かって延出している。導水板５１は、例えば、天面部２１にＵ字状の切り込みを入れ、この切り込んだ部分を下方に折り曲げることで形成されている。
【００４６】
なお、図４の貫通孔４８の妻側の開口縁は、立上片２２に隣接しているが、立上片２２とは離れていてもよい。また、貫通孔４８は、立上片２２が設けられていない天面部２１に設けられてもよい。
【００４７】
導水路７は、貫通孔４８を通って流下する雨水を軒樋６に向かって導水する。導水路７は、内側支持部２８と、水受け部４１とにより構成されている。
【００４８】
内側支持部２８は、実施形態１と同様、先端部２７の棟側の端部と、外側面部２３の内面との間に架設される。内側支持部２８の上端は、天面部２１の下面に当接又は近接対向している。
【００４９】
本実施形態の水受け部４１は、下延出片５２を有している。下延出片５２は、横片部４３の妻側とは反対側の先端から下方に向かって延出している。下延出片５２は、横片部４３から延出した金属片を下方に曲げ加工することによって形成されている。下延出片５２の下端は、軒樋６の内部に位置しており、且つ、軒樋６の上端よりも下方に位置している。すなわち、下延出片５２の下端は、軒樋６の内側の長さ方向の端面に近接対向している。
【００５０】
けらば化粧材２には、軒樋６を挿通するための凹所２９が形成される。凹所２９を形成する開口は、内側面部２５に設けられた挿通開口３０によって構成されている。挿通開口３０には、軒樋６の長さ方向の端部が挿入され、これにより凹所２９内に軒樋６の長さ方向の端部が配置される。なお、凹所２９に軒樋６の長さ方向の端部が挿入された状態では、軒樋６の長さ方向の端面と、けらば化粧材２の外側面部２３の内面との間に、一定の隙間が設けられる。
【００５１】
本実施形態のけらば化粧材２の軒先構造は、雨水が天面部２１の上面に付着すると、天面部２１の上面の傾斜に沿って流下し、貫通孔４８に至る。貫通孔４８に至った雨水は、導水板５１を伝って流下し、導水路７に導かれる。導水路７内に流入した雨水は、下延出片５２を介して、軒樋６の内部に導かれる。
【００５２】
以上、説明したように、本実施形態のけらば化粧材２の軒先構造の導水部４は、貫通孔４８と、導水路７とを備えている。貫通孔４８は、天面部２１に設けられている。導水路７は、貫通孔４８を通って流下する雨水を軒樋６に向かって導水する。
【００５３】
このため、本実施形態のけらば化粧材２の軒先構造によれば、天面部２１を伝って流下する雨水の大部分を軒樋６の内部に導水できて、けらば化粧材２上を流下する雨水が地面に落下するのを抑制することができる。
【００５４】
また、本実施形態の導水路７は、水受け部４１に設けられた下延出片５２を有しているため、導水路７に受けられた雨水を、効果的に軒樋６の内部に導水させることができる。また、下延出片５２は、軒樋６の長さ方向の端面に当接又は近接対向しているため、軒樋６の長さ方向への移動の規制にもなる。
【００５５】
また、貫通孔４８の上側開口縁４９と下側開口縁５０との間の寸法は、１０ｍｍ程度に形成されているため、天面部２１に沿って落下する落ち葉やごみ等が、貫通孔４８に引っ掛かってしまうのを防ぐことができる。
【００５６】
なお、本実施形態のけらば化粧材２は、メッシュによって貫通孔４８を覆うことも可能である。これにより、落ち葉やごみ等が貫通孔４８に引っ掛かるのもさらに抑制することができる。また、貫通孔４８に落ち葉やごみ等が入り込むのを防ぐこともできる。
【００５７】
なお、本実施形態のけらば化粧材の軒先構造では、水受け部４１がけらば化粧材２に取り付けられていたが、水受け部４１は、屋根材１１や鼻板，軒樋６等、けらば化粧材２以外の部材に取り付けられたものであってもよい。
【符号の説明】
【００５８】
１      屋根
２      けらば化粧材
２１    天面部
２２    立上片
２３    外側面部
２４    前面部
２５    内側面部
２７    先端部
４      導水部
４１    水受け部
４２    縦片部
４３    横片部
４４    折り返し片
４５    排水溝
４６    横溝部
４７    縦溝部
４８    貫通孔
４９    上側開口縁
５０    下側開口縁
５１    導水板
５２    下延出片
６      軒樋
【図１】
2015017475.tif 000003
【図２】
2015017475.tif 000004
【図３】
2015017475.tif 000005
【図４】
2015017475.tif 000006